(57)【要約】      （修正有）【課題】パウチ容器への取り付けとパウチ容器の巻き取りが容易で内容物を良好に絞り出せる絞り出し具を提供する。【解決手段】樹脂シートからなる袋体に収容された内容物を前記袋体６１から絞り出すための絞り出し具５１であり、本体部１と、長手方向に延在するスリット部ＳＴと、本体部１によって端部側を回動自由に支持された保持部３とを備える。スリット部ＳＴは、長手方向の両端部側の隙間よりも中央部の隙間が大きく形成されている。【選択図】図５
0003171970.tif 000002
【実用新案登録請求の範囲】
【請求項１】
樹脂シートからなる袋体に収容された内容物を前記袋体から絞り出すための絞り出し具であって、
本体部と、
長手方向に延在するスリット部を有し、前記本体部によって端部側を回動自由に支持された保持部と、
を備え、
前記スリット部は、前記長手方向の両端部側の隙間よりも中央部の隙間が大きく形成されていることを特徴とする絞り出し具。
【請求項２】
前記本体部は、前記スリット部に対応した位置に、近接対向する一対の対向壁により形成され前記長手方向に所定の隙間をもって延在する案内スリット部を備えていることを特徴とする請求項１記載の絞り出し具。
【請求項３】
前記案内スリット部は、前記スリット部とは反対側の開口部に、前記スリット部から離れるほど前記隙間が大きくなるよう形成された案内部を有していることを特徴とする請求項２記載の絞り出し具。
【請求項４】
前記スリット部は、一対の対向部材により形成されると共に、前記一対の対向部材の少なくとも一方の弾性変形によって前記一対の対向部材の間隔が拡張するよう構成されていることを特徴とする請求項１〜３のいずれか１項に記載の絞り出し具。
【請求項５】
前記スリット部は、前記長手方向の少なくとも一方の端部側に、自然状態で前記一対の対向部材同士が接触している接触領域を有していることを特徴とする請求項４記載の絞り出し具。
【請求項６】
前記本体部は、前記保持部を前記長手方向に沿って覆う壁部を有していることを特徴とする請求項１〜５のいずれか１項に記載の絞り出し具。
【考案の詳細な説明】
【技術分野】
【０００１】
本考案は、絞り出し具に係り、特に、パウチ容器から流動性を有する内容物を良好に絞り出すことができる絞り出し具に関する。
【背景技術】
【０００２】
液状物やゲル状物などの流動性を有する内容物を密閉収容したパウチ容器から、内容物を、パウチ容器内に残存しないよう良好に絞り出すための絞り出し具とパウチ容器とについて特許文献１に記載されている。
特許文献１に記載された絞り出し具及びパウチ容器の概略は次のとおりである。
絞り出し具は、軸と、その軸の末端部に設けられた円盤状の鍔部と、その鍔部に設けられた把持部と、を備えており、軸は、一端が開放して軸を松葉形状とするスリット部、又は、軸の長手方向途中に貫通部として形成されたスリット部を有して形成されている。
パウチ容器は、内容物を収容する本体部の一端側に設けられた注出口と、本体部における注出口とは反対側において外方に延出するよう形成されたフィルム状の延出部と、を有している。
この絞り出し具によってパウチ容器の内容物を絞り出す際には、軸のスリット部にパウチ容器の延出部を差し込み、把持部を手（指）で掴み軸を軸線回りに回転させてパウチ容器を巻き取る。これにより、内容物を注出口から絞り出せるようになっている。
【先行技術文献】
【特許文献】
【０００３】
【特許文献１】特開２００９−１６６８８８号公報
【考案の概要】
【考案が解決しようとする課題】
【０００４】
パウチ容器の利用用途が拡大するに伴い、工業用品のパウチ化が検討されてきている。例えば、従来主流の食材や薬剤などと比べて高粘度で高比重のインキのパウチ化である。工業用途の場合、使い勝手を良好にするため、一袋のサイズを大きく、内容量も多量化する傾向にある。
高粘度で高比重の内容物を収容し、かつ大型化したパウチ容器は、収容部分が、重力の作用で地面側が大きく膨らんで偏った形状となり、全体の質量も大きいものとなる。そのため、取り扱いについては、必ずしも、食材や薬剤を内容物としたパウチ容器と比べて容易なものとは言えない。
従って、このようなパウチ容器からの内容物の絞り出しを、特許文献１に記載された絞り出し具を用いて試みた場合に、収容部分が偏って膨らんでいることから、延出部が平坦になり難く、延出部のスリットへの差し込みが容易ではないという問題が生じる。
また、延出部をスリットへ差し込めても、軸を回転させるときに、内容物が高粘度で重いことから延出部が滑って軸に追従せず、パウチ容器の巻き取りができない、という問題が生じ得る。
【０００５】
そこで、本考案が解決しようとする課題は、パウチ容器への取り付けとパウチ容器の巻き取りが容易で内容物を良好に絞り出せる絞り出し具を提供することにある。
【課題を解決するための手段】
【０００６】
上記の課題を解決するために、本考案は次の構成を有する。
１）  樹脂シートからなる袋体に収容された内容物(N)を前記袋体(61)から絞り出すための絞り出し具であって、
本体部(1)と、
長手方向に延在するスリット部(ST)を有し、前記本体部(1)によって端部側を回動自由に支持された保持部(3)と、
を備え、
前記スリット部(ST)は、前記長手方向の両端部側の隙間よりも中央部の隙間が大きく形成されていることを特徴とする絞り出し具(51)である。
２）  前記本体部(1)は、前記スリット部(ST)に対応した位置に、近接対向する一対の対向壁(1a,2a)により形成され前記長手方向に所定の隙間をもって延在する案内スリット部(AST)を備えていることを特徴とする１）に記載の絞り出し具(51)である。
３）  前記案内スリット部(AST)は、前記スリット部(ST)とは反対側の開口部に、前記スリット部(ST)から離れるほど前記隙間が大きくなるよう形成された案内部(1b,2b)を有していることを特徴とする２）に記載の絞り出し具(51)である。
４）  前記スリット部(ST)は、一対の対向部材(3b1,3b2)により形成されると共に、前記一対の対向部材(3b1,3b2)の少なくとも一方の弾性変形によって前記一対の対向部材(3b1,3b2)の間隔が拡張するよう構成されていることを特徴とする１）〜３）のいずれか一つに記載の絞り出し具(51)である。
５）  前記スリット部(ST)は、前記長手方向の少なくとも一方の端部側に、自然状態で前記一対の対向部材(3b1,3b2)同士が接触している接触領域(AL,AR)を有していることを特徴とする４）に記載の絞り出し具(51)である。
６）  前記本体部(1)は、前記保持部(3)を前記長手方向に沿って覆う壁部(72)を有していることを特徴とする１）〜５）のいずれか一つに記載の絞り出し具(71)。である。
【考案の効果】
【０００７】
本考案によれば、パウチの巻き取りが容易で内容物を良好に絞り出せる、という効果が得られる。
【図面の簡単な説明】
【０００８】
【図１】本考案の絞り出し具の実施例を説明するための外観斜視図及び断面図である。
【図２】本考案の絞り出し具の実施例における要部を説明するための平面図である。
【図３】本考案の絞り出し具の実施例における要部の詳細形状を説明するための図である。
【図４】本考案の絞り出し具の実施例で絞り出しを行うパウチ容器を説明するための平面図及び側面図である。
【図５】本考案の絞り出し具の実施例で絞り出しを行う手順を説明する第１の図である。
【図６】本考案の絞り出し具の実施例で絞り出しを行う手順を説明する第２の図である。
【図７】本考案の絞り出し具の実施例で絞り出しを行う手順を説明する第３の図である。
【図８】本考案の絞り出し具の実施例で絞り出しを行う手順を説明する第４の図である。
【図９】本考案の絞り出し具の実施例における変形例を説明するための一部破断した斜視図である。
【図１０】本考案の絞り出し具の実施例における変形例の使用形態例を説明するための図である。
【考案を実施するための形態】
【０００９】
本考案の実施の形態を、好ましい実施例により図１〜図１０を用いて説明する。
【００１０】
本考案の絞り出し具の実施例である絞り出し具５１を、図１（ａ），図１（ｂ）及び図２を参照して説明する。図１（ａ）は、絞り出し具５１の外観斜視図であり、図１（ｂ）は、図１（ａ）におけるＳ１−Ｓ１断面図である。図２は、図１（ａ）において矢印ＹＳ１で示される方向から見た平面図である。
以下の説明において、絞り出し具５１の上下左右前後の各方向は、便宜的に図１（ａ）で示される方向として規定する。
【００１１】
絞り出し具５１は、概略、左右方向に長尺なる本体部材１と、本体部材１に沿う長尺形状で形成され、本体部材１に対し、所定の幅Ｈ１なる隙間空間Ｖを間に生じるように締結部材であるボルトＢ及びナットＮＴで長手両端部を固定された案内部材２と、本体部材１に両端を回動自在に支持された保持部材３と、を有して構成されている。本体部材１と案内部材２とで本体部が構成されている。
【００１２】
各部材について、詳述する。
本体部材１及び案内部材２は、金属の板材から形成され、保持部材３は、金属の棒材から形成されている。
本体部材１と案内部材２とは、それぞれの平坦面部１ａ，２ａが互いに所定の幅Ｈ１なる隙間空間Ｖを間に対向するよう幅Ｈ１を厚みとするスペーサ４を挟んで固定され、案内スリット部ＡＳＴを構成している。隙間空間Ｖには、絞り出し具５１の使用時に、パウチ容器６１の端部である延出部６３ａ（図４参照：後述する）が挿入される。
本体部材１及び案内部材２における前方側には、前方端部に向かうに従って互いに離れる方向に傾斜した誘導部１ｂ，２ｂが形成されている。案内部材２の後方側には、本体部材１から離れる方向に概ね直角に屈曲したフランジ部２ｃが形成されている。本体部材１の後方側には、後方端部に向かうに従って平坦面部１ａから下方側に向け傾斜した傾斜部１ｃが形成されている。傾斜部１ｃの左右両端側には、垂直に立ち上がり互いに対向する一対の立ち上げ部１ｄ１，１ｄ２が形成されている。立ち上げ部１ｄ１，１ｄ２には、同軸上にそれぞれ貫通孔１ｄ３，１ｄ４が形成されており、貫通孔１ｄ３，１ｄ４には、保持部材３の両端部側がそれぞれ挿通されている。
【００１３】
保持部材３は、金属の角棒材を二つ折りして略ヘアピン状に形成されている。すなわち、保持部材３は、支点となる折り曲げ部３ａから一対の腕部３ｂ１，３ｂ２が互いに対向するように形成されている。以下の説明では、理解を容易にするために、保持部材３の回動姿勢を、一対の腕部３ｂ１，３ｂ２が上下方向に位置する姿勢（以下、基準姿勢と称する）とし、上方側を腕部３ｂ１，下方側を腕部３ｂ２として説明する。
本体部材１に、保持部材３を基準姿勢で係止可能とする係止手段を設けてもよい。また、保持部材３の回動中に基準姿勢でクリック感が得られよう付勢力に伴った凹凸の係合部を設けておいてもよい。これらは周知の構造を適用できる。
図１（ａ），（ｂ）及び図２において、保持部材３はこの基準姿勢で示されている。
保持部材３の折り曲げ部３ａ側は、貫通孔１ｄ３に挿通され、松葉ピン５によって抜け止め処理がされている。腕部３ｂ１，３ｂ２の先端側は、貫通孔１ｄ４に挿通され、鰭状の把持部６にかしめ固定されている。
保持部材３における腕部３ｂ１と腕部３ｂ２との間の所定の区間には、幅ｔなる隙間空間Ｖ３が形成されている。隙間空間Ｖ３は、保持部材３の基準姿勢において、本体部材１と案内部材２との間の隙間空間Ｖに対応した位置にある。別の言い方をするならば、図１（ｂ）に示されるように、隙間空間Ｖの仮想中心線ＣＬが、隙間空間Ｖ３内を腕部３ｂ１，３ｂ２と干渉せずに通過するように保持部材３の支持位置が決められている。
【００１４】
保持部材３において、腕部３ｂ１と腕部３ｂ２との対向面間はスリット部ＳＴとされている。スリット部ＳＴは、自然状態で、又は、両対向面間の隙間を押し広げるように腕部３ｂ１と腕部３ｂ２との少なくとも一方を弾性変形させることで、シート状部材を挿通可能とされている。ここで、自然状態とは、絞り出し具５１に対し外部から力が加わっていない状態を示す。絞り出し具５１の使用時には、スリット部ＳＴにパウチ容器６１延出部６３ａが挿入される（詳細は後述する）。
スリット部ＳＴの詳細を説明すると、腕部３ｂ１と腕部３ｂ２との間の隙間空間Ｖの隙間の幅ｔは、左右端部側よりも中央部の方が広く（大きく）なっている。立ち上げ部１ｄ１，１ｄ２の内面１ｄ１ａ，１ｄ２ａ間の距離を距離Ｌａとすれば、幅ｔは距離Ｌａにおける中央（Ｌａ／２となる位置）付近が最も大きく、それに比べて左端側及び右端側が小さくなっている。例えば、中央から左右端に向かうに従って徐々に小さくなっている。
【００１５】
図３（ａ），図３（ｂ）は、この幅ｔの量（値）を縦軸にとり、左右方向の位置を横軸にとったグラフである。横軸は、立ち上げ部１ｄ１の内面１ｄ１ａと立ち上げ部１ｄ２の内面１ｄ２ａとの間の中央をＣとし、内面１ｄ１ａの位置をＬとし、内面１ｄ２ａの位置をＲとして示している。
図３（ａ）に示されるように、位置Ｌ，Ｒにおける幅ｔは最少値ｔｍｉｎを示し、最大値ｔｍａｘの位置は例えば中央Ｃである。また、幅ｔの値の左右方向での変化は滑らかであり、図３（ａ）では曲線として示されている。また、幅ｔは、中心Ｃに対して左右対称の値をとっている。
【００１６】
スリット部ＳＴは、その幅ｔの値が図３（ｂ）に示されるように設定されていてもよい。すなわち、左右方向の両端部側に、腕部３ｂ１と腕部３ｂ２との間に隙間がなく両者の対向面同士が接触した接触領域ＡＬ，ＡＲがそれぞれあり、二つの接触領域ＡＬ，ＡＲの間に、腕部３ｂ１と腕部３ｂ２との間に隙間があって離れている離隔領域ＡＣがあるようにしてもよい。この場合も、最大値ｔｍａｘを示す位置は例えば中央Ｃである。また、幅ｔの値の左右方向での変化は滑らかであり、図３（ｂ）では曲線として示されている。また、幅ｔは、中央Ｃに対して左右対称の値をとっている。
【００１７】
次に、この絞り出し具５１を用いてパウチ容器から内容物を絞り出す絞り出し作業について説明する。
まず、図４（ａ），（ｂ）を用いて絞り出し具５１を適用するパウチ容器６１を説明する。図４（ａ）はパウチ容器６１の平面図であり、図４（ｂ）はパウチ容器６１の側面図である。いずれも、流動性を有する内容物Ｎを封入した状態が示されている。内容物Ｎは、例えばインキである。
パウチ容器６１は、樹脂シートから形成され、周囲を熱溶着によりシール部６３として内容物Ｎを封入してなる袋状の容器（袋体）である。より詳しくは、パウチ容器６１は、外形形状が例えば矩形とされ、内容物が収められた封入部６２と、その周囲に熱溶着されてなるシール部６３とを有している。以下、パウチ容器６１の外形形状は矩形のものを説明するが、矩形に限定されるものではない。
シール部６３は、四辺中の一辺において他辺よりも広い範囲で熱溶着された延出部６３ａを有して形成されている。延出部６３ａには、パウチ容器を例えば吊り下げ可能とするための孔６３ｂが複数箇所形成されている。
延出部６３ａが形成された辺の幅をＬｂとすると、立ち上げ部１ｄ１，１ｄ２の内面１ｄ１ａ，１ｄ２ａ間の距離を距離Ｌａと比較して、Ｌｂ＜Ｌａと設定されている。
スリット部ＳＴにおける、距離Ｌａ，幅Ｈ１，幅ｔの最小値ｔｍｉｎ，及び最大値ｔｍａｘは、パウチ容器６１の形状やシール部６３の厚さに応じて適宜設定できる。特に、最大値ｔｍａｘは、パウチ容器６１の熱溶着されたシール部６３の延出部６３ａの厚さよりも大きく、最小値ｔｍｉｎは、延出部６３ａの厚さよりも小さく設定されているとよい。
【００１８】
次に、パウチ容器６１に絞り出し具５１を取り付ける具体的方法例を、図５〜図８を参照しながら代表的な四つの段階（第１〜第４段階）で説明する。
図５（ａ），図６（ａ），図７（ａ），図８（ａ）は平面図であり、図５（ｂ），図６（ｂ），図８（ｂ）は図５（ａ），図６（ａ），図８（ａ）で示される各段階に対応した断面図である。図７（ｂ）は、図７（ａ）で示される段階における保持部材３の部分斜視図である。
【００１９】
（第１段階）＜図５（ａ），（ｂ）参照＞
図５（ａ）に示される平面視で絞り出し具５１をパウチ容器６１に対し傾けた配置とし、絞り出し具５１の保持部材３を基準姿勢とし、延出部６３ａの一方の角部Ｋを誘導部１ｂ，２ｂとの間に挿入する。誘導部１ｂ，２ｂは、開口端側が広く開放され奥すぼまりとなる傾斜面で形成されているので、挿入は容易であり、かつ、挿入が進むに伴って延出部６３ａの角部Ｋは自然に案内スリット部ＡＳＴである隙間空間Ｖ内へ誘導される。
【００２０】
（第２段階）＜図６（ａ），（ｂ）参照＞
さらに角部Ｋを挿入すると、図６（ａ），図６（ｂ）に示されるように、隙間空間Ｖを通過し、その奥で待機しているスリット部ＳＴ、すなわち保持部材３の隙間空間Ｖ３内へ誘導される。そして角部Ｋは、そのまま隙間空間Ｖ３を通過する。この誘導は、上述のように、隙間空間Ｖ３が保持部材３の基準姿勢において本体部材１と案内部材２との間の隙間空間Ｖに対応した位置にあることにより、極めて自然に行われる。
また、パウチ容器６１を絞り出し具５１に対して平面視で傾けた状態にて角部Ｋを挿入しているので、角部Ｋは、スリット部ＳＴにおいて隙間の幅ｔが大きく設定されている部位に到達する。スリット部ＳＴに接触領域ＡＬ，ＡＲ及び離隔領域ＡＣが設定されている場合は、離隔領域ＡＣに到達する。従って、延出部６３ａを、角部Ｋからスリット部ＳＴ内、すなわち隙間空間Ｖ３内にスムースに進入させ、そのまま通過させることができる。
【００２１】
（第３段階）＜図６（ａ）、図７（ａ），（ｂ）参照＞
角部Ｋが隙間空間Ｖを通過したら、図６（ａ）に示される白ヌキ矢印のように、パウチ容器６１をやや右回り方向に回動させながら、延出部６３ａの幅方向全体を保持部材３の腕部３ｂ１，３ｂ２間（スリット部ＳＴ）に挿通させる。これにより第３段階に至る。この回動を伴うスリット部ＳＴへの挿通の詳細を、図７（ｂ）を参照して説明する。
第２段階で角部Ｋが位置Ｐ１に達した延出部６３ａ（二点鎖線で図示）の幅方向全体を、角部Ｋが位置Ｐ１から位置Ｐ２へ矢印のように移動するように、かつ、隙間を押し広げるように軽く力を付して滑らかに回動させることで、実線で示されるようにスリット部ＳＴに挿通させる。
スリット部ＳＴは、両端部側の幅ｔが延出部６２ａが抜けにくくなるほどに小さく（狭く）なっているので、延出部６２ａはスリット部ＳＴに良好に保持される。
また、スリット部ＳＴが図３（ｂ），図７（ｂ）で示されるような接触領域ＡＬ，ＡＲを有する場合、第２段階で離隔領域ＡＣにおいてスリット部ＳＴを通過した延出部６３ａを、接触領域ＡＬ，ＡＲに対して腕部３ｂ１，３ｂ２を押し広げるように挟み入れる。これにより、延出部６３ａは、保持部材３に、接触領域ＡＬ，ＡＲにおける腕部３ｂ１，３ｂ２の弾性変形の反発力による挟持力によって、より確実にしっかりと保持される。
延出部６３ａをスリット部ＳＴで保持したら、パウチ容器６１の延出部６３ａとは反対側の端部を、例えば図５（ｅ）に示される開封線ＬＮ１の位置で開封し、内容物Ｎを取り出す。
【００２２】
（第４段階）＜図８（ａ），（ｂ）参照＞
把持部６を回して保持部材３を回動させ、パウチ容器６１を巻き取る。把持部６を回した際には、延出部６３ａがスリット部ＳＴにおいて挟まれしっかりと保持されているので、延出部６３ａが滑って巻き取れなくなることはなく、パウチ容器６１は良好に保持部材３に巻き取られる。この巻き取りに伴い、パウチ容器６１の封入部６２は、奥すぼまりになっている誘導部１ｂ，２ｂ及びその奥の隙間である案内スリット部ＡＳＴ（隙間空間Ｖ）によって扱かれる。従って、封入部６２内の内容物Ｎは、残存なくほぼ全量を良好に取り出すことができる。
【００２３】
図９は、実施例の絞り出し具５１の変形例である絞り出し具７１を説明するための一部を破断した外観斜視図ある。
絞り出し具７１は、図９における後面側が開放された略箱状のケース７２と、ケース７２の両側面で、スクリュー７４により抜け止めされつつ回動自在に支持された保持部７３と、保持部７３を手で回動させるための把持部７６とを備えている。保持部７３は、絞り出し具５１における腕部３ｂ１，３ｂ２と同じ構成となる腕部７３ｂ１，７３ｂ２とそれらに挟まれたスリット部ＳＴ７とを備えている。ケース７２には、絞り出し具５１における誘導部１ｂ，２ｂに相当する誘導部ＹＤと、案内スリット部ＡＳＴ（隙間空間Ｖ）に対応する隙間空間Ｖ７２が案内スリット部ＡＳＴ７として形成されている。
【００２４】
この構成により、絞り出し具７１は、絞り出し具５１と同様の効果を発揮する。すなわち、スリット部ＳＴ７に挿通された延出部６３ａはスリット部ＳＴ７に挟まれて保持されるので、延出部６３ａがすべって保持部７３で巻き取れなくなることはなく、良好に保持部７３に巻き取られる。この巻き取りに伴い、パウチ容器６１の封入部６２は、奥すぼまりになっている誘導部ＹＤ及びその奥の案内スリット部ＡＳＴ７（隙間空間Ｖ７２）によって扱かれる。従って、封入部６２内の内容物Ｎは、残存なく良好に全量を取り出すことができる。
また、保持部７３が、ケース７２の少なくとも開放された後面以外の複数の面によって囲まれている。これにより、外部からの飛散物などが保持部７３に付着して汚れる可能性が少ない。また逆に、絞り出し作業中の不具合などで内容物Ｎが溢れてしまった場合にも、保持部７３や案内スリット部ＡＳＴ７等の部位から、外部に対して溢れた内容物Ｎを飛散させる可能性が少ない。
【００２５】
図７に示されるように、絞り出し具７１において、ケース７２の底面７２Ｂを案内スリット部ＡＳＴ７（隙間空間Ｖ７２）と保持部７３の隙間空間Ｖ７３とを繋ぐ仮想線ＬＮ２（図９も参照）に対して平行な面として形成すれば、水平の設置面Ｆに絞り出し具７１を載置した状態で、仮想線ＬＮ２は水平方向となる。従って、パウチ容器６１の延出部６３ａの誘導部ＹＤへの挿入が容易になる。
さらに、パウチ容器６１の内容物Ｎの種類や量に応じ、パウチ容器６１を設置面Ｆに載置した際の、延出部６３ａの設置面Ｆからの高さＨ３と、設置面Ｆから仮想線ＬＮ２までの高さＨ２とが概ね同じになるようにケース７２の形状及び寸法を設定してもよい。これにより、設置面Ｆに載置したパウチ容器６１に対し、絞り出し具７１を設置面Ｆに載置しつつつ単に横滑りさせるだけで、延出部６３ａを誘導部ＹＤ内に容易に挿入させることができる。これは、特に内容物Ｎが重く大容量化されたパウチ容器６１の場合に、極めて効率よく作業が行えるので好ましい。
【００２６】
本考案の実施例は、上述した構成に限定されるものではなく、本考案の要旨を逸脱しない範囲において変形例としてもよいのは言うまでもない。
腕部３ｂ１と腕部３ｂ２との合わせ面の左右方向（長手方向）の面形状は、平面上に形成されていなくてもよい。矢印ＹＳ１方向からみて、左右方向に弓状、Ｓ字状など曲線上に形成されていてもよい。
スリット部ＳＴにおける挿入のための開口端は、Ｒ又はＣ面の面取りが形成されているとより良い。
腕部３ｂ１と腕部３ｂ２とは、少なくとも一方が弾性変形するものであればよい。
各部材は金属で形成されているものに限らない。樹脂材の射出成形等により形成されていてもよい。
図１（ｂ）に示された、平坦面部１ａ，２ａの前方側端部位置Ｐ５と、腕部３ｂ１，３ｂ２の前方側端部位置Ｐ６との間の距離Ｌｃは、短い程多くの種類のパウチ容器を適用できるので好ましい。
スリット部ＳＴは、腕部３ｂ１と腕部３ｂ２との二つの部材の対向配置により構成されるものに限らない。スリット部ＳＴを一つの長尺部材の開口部（切り込みを含む）とし、その隙間の拡張方向に弾性を有するよう形成されていてもよい。
【符号の説明】
【００２７】
１  本体部材
１ａ  平坦面部、１ｂ  誘導部、１ｃ  傾斜部
１ｄ１，１ｄ２  立ち上げ部、１ｄ１ａ，１ｄ２ａ  内面
１ｄ３，１ｄ４  貫通孔
２  案内部材
２ａ  平坦面部、２ｂ  誘導部、２ｃ  フランジ部
３  保持部材
３ａ  折り曲げ部（支点）、３ｂ１，３ｂ２，７３ｂ１，７３ｂ２  腕部
４  スペーサ、５  松葉ピン、６，７６  把持部
５１，７１  絞り出し具
６１  パウチ容器（袋体）
６２  封入部、６３  シール部、６３ａ  延出部、６３ｂ  孔
７２  ケース、７２Ｂ  底面、７３  保持部、７４  スクリュー
ＡＣ  離隔領域、ＡＬ，ＡＲ  接触領域
Ｂ  ボルト、ＮＴ  ナット
ＣＬ  仮想中心線、Ｆ  水平面、Ｋ  角部
Ｎ  内容物、
Ｈ１，ｔ  幅、Ｈ２，Ｈ３  高さ
Ｌ，Ｒ，Ｐ１,Ｐ２  位置、Ｐ５，Ｐ６  前方向端部位置
Ｌａ  距離、Ｌｂ  （辺の）幅、ＬＮ１  開封線  ＬＮ２  仮想線
ＡＳＴ  案内スリット部、ＳＴ，ＳＴ７  スリット部、Ｓ１−Ｓ１  断面位置
ＹＤ  誘導部、ＹＳ１  矢印（矢視方向）
Ｖ，Ｖ３，Ｖ７２，Ｖ７３  隙間空間
【図１】
0003171970.tif 000003
【図２】
0003171970.tif 000004
【図３】
0003171970.tif 000005
【図４】
0003171970.tif 000006
【図５】
0003171970.tif 000007
【図６】
0003171970.tif 000008
【図７】
0003171970.tif 000009
【図８】
0003171970.tif 000010
【図９】
0003171970.tif 000011
【図１０】
0003171970.tif 000012